(57)【要約】【課題】アンテナモジュールがケースの主体層の外面に直接に接合され、安定性、隠れ性および多機能性が高く、アンテナの設置が必要である電気製品へ適用可能であるアンテナ及びケースの複合構造を提供する。【解決手段】複数の主体層１００を有するケース１０と、ケースを成形する前に前記主体層の外面に設けられる少なくとも一組のアンテナモジュール２０とを含み、ケース１０を成形した後に前記アンテナモジュール２０が前記ケース１０と一体になることを特徴とする。【選択図】図２
0003138503.tif 000002
【実用新案登録請求の範囲】
【請求項１】
複数の主体層を有するケースと、ケースを成形する前に前記主体層の外面に設けられる少なくとも一組のアンテナモジュールとを含み、ケースを成形した後に前記アンテナモジュールが前記ケースと一体になることを特徴とする、アンテナ及びケースの複合構造。
【請求項２】
前記ケースは、複数の主体層を樹脂にプリ浸してモールドに入れて成形されたものであることを特徴とする、請求項１に記載のアンテナ及びケースの複合構造。
【請求項３】
前記アンテナモジュールは、一般の無線通信用アンテナ、またはブルートゥースアンテナのいずれか一つのアンテナであることを特徴とする、請求項１に記載のアンテナ及びケースの複合構造。
【請求項４】
プリ浸しによって前記ケースの主体層の内部には適量の樹脂があり、前記ケースを成形した後に、前記ケースに結合されたアンテナモジュールの表面に樹脂による表層が形成され、前記表層の顔色は透明、または前記樹脂と同じもののいずれか一つの顔色であることを特徴とする、請求項１に記載のアンテナ及びケースの複合構造。
【請求項５】
前記主体層は、繊維材料で作製されたものであり、前記繊維材料は導電性を持っているか、または導電性を持っておらず形成されることを特徴とする、請求項１に記載のアンテナ及びケースの複合構造。
【考案の詳細な説明】
【技術分野】
【０００１】
本考案は、アンテナ及びケースの複合構造に係り、特に、アンテナモジュールがケースの主体層の外面に直接に接合され、安定性、隠れ性および多機能性が高く、アンテナの設置が必要である電気製品へ適用可能のアンテナ及びケースの複合構造に関するものである。
【背景技術】
【０００２】
目下、一般のアンテナモジュールとパソコン又は関連電気製品のケースとの合せ構造は、アンテナモジュールを組付けるための欠け口をケースに開設し、又は、台湾実用新案第０５７８９４２号に記載の「パソコンのケースのパネルの内側に組み付けられたプリント回路板アンテナ」が提案され、これは、アンテナであるプリント回路板の側辺にはパソコンのケースと結合するための結合構造が設けてあり、前記結合構造により、前記アンテナはネジにてパソコンのケースのパネルの内側に取付可能であり、しかし、アンテナとケースとの結合の安定性は良くなく、外力を受けるとアンテナは脱落し易い問題があった。
【０００３】
また、台湾特許第９１２１４０６６号に記載の「コネクタのアンテナ付き金属遮蔽ケース」が提案され、これは、上片部と側片部とから構成される金属遮蔽ケースを有し、前記上片部の頂端の下面の適当な箇所では、垂直方向に、又は水平方向に伸びる金属板が設けてあり、これにより前記上片部の頂端にアンテナが形成され、また、前記上片部の一側の頂端からアンテナの末端に沿って伸びる延長部は金属遮蔽ケースのアンテナ信号入力端子とされ、また、前記側片部の両側には外側に伸びる延長部が複数に設けてあり、この延長部は金属遮蔽ケースのアース端子とされる構成であり、しかし、アンテナの機能を持つ金属遮蔽ケースは別の構造に組付けることが必要であるので、組付作業は複雑であり、製品の安定性は良くない問題があった。
【特許文献１】台湾実用新案第０５７８９４２号
【特許文献２】台湾特許第９１２１４０６６号
【考案の開示】
【考案が解決しようとする課題】
【０００４】
本考案の主な目的は、アンテナモジュールがケースの主体層の外面に直接に接合され、安定性、隠れ性および多機能性が高く、アンテナの設置が必要な電気製品へ適用可能のアンテナ及びケースの複合構造を提供することにある。
【課題を解決するための手段】
【０００５】
上記目的を達成するためになされた本願の考案は、複数の主体層を有するケースと、ケースを成形する前に前記主体層の外面に設けられる少なくとも一組のアンテナモジュールとを含み、ケースを成形した後に前記アンテナモジュールが前記ケースと一体になることを特徴とする、アンテナ及びケースの複合構造であることを要旨としている。
【０００６】
本願の考案では、前記ケースは、複数の主体層を樹脂にプリ浸してモールドに入れて成形されたものであることを特徴とする、請求項１に記載のアンテナ及びケースの複合構造であることを要旨としている。
【０００７】
本願の考案では、前記アンテナモジュールは、一般の無線通信用アンテナでもいいし、ブルートゥースアンテナでもよいことを特徴とする、請求項１に記載のアンテナ及びケースの複合構造であることを要旨としている。
【０００８】
本願の考案では、プリ浸しによって前記ケースの主体層の内部には適量の樹脂があり、前記ケースを成形した後に、前記ケースに結合されたアンテナモジュールの表面に樹脂による表層が形成され、前記表層の顔色は透明でもいいし、前記樹脂と同じでもよいことを特徴とする、請求項１に記載のアンテナ及びケースの複合構造であることを要旨としている。
【０００９】
本願の考案では、前記主体層は繊維材料で作製されたものであり、前記繊維材料は導電性を持ってもいいし、導電性を持たなくてもよいことを特徴とする、請求項１に記載のアンテナ及びケースの複合構造であることを要旨としている。
【考案の効果】
【００１０】
本考案のアンテナ及びケースの複合構造によれば、アンテナモジュールがケースの主体層の外面に直接に接合され、安定性、隠れ性および多機能性が高く、アンテナの設置が必要である電気製品へ適用可能である効果を有する。
【考案を実施するための最良の形態】
【００１１】
以下、添付図面を参照して本考案の好適な実施の形態を詳細に説明する。
【００１２】
まず、図１乃至図３を参照する。本考案の成形されていないケース１０は、少なくとも一組のアンテナモジュール２０を有し、前記アンテナモジュール２０は、一般の無線通信用アンテナでもいいし、ブルートゥースアンテナでもよい。
【００１３】
本考案のケース１０は、複数の主体層１００を樹脂にプリ浸して、成形モールド３０に開設されたキャビティ３１に入れて加熱加圧することにより一体成形されたものである。
【００１４】
本考案の特徴は、複数の主体層１００を成形モールド３０に開設されたキャビティ３１に入れる前に、アンテナモジュール２０を主体層１００の適当な箇所に設置し、その後、樹脂に浸された主体層１００とアンテナモジュール２０とを成形モールド３０に開設されたキャビティ３１に一緒に入れて加熱加圧することにより一体成形し、そうすると、アンテナモジュール２０がケース１０の表面に結合されたようになる。
【００１５】
次に、図４を参照しながら本考案の作製方法４０を説明する。本考案の作製方法４０は、
【００１６】
適当の炭素繊維を選んで適当にカットすることにより主体層１００を作製して、複数の主体層１００を積み上げるステップＳ４１と、
【００１７】
前記複数の主体層１００を樹脂に浸して樹脂を吸収するステップＳ４２と、
【００１８】
前記アンテナモジュール２０を先に成形モールド３０に開設されたキャビティ３１に入れた後に、樹脂に浸した主体層１００を前記キャビティ３１に入れるステップＳ４３と、
【００１９】
加熱加圧することにより前記主体層１００と前記アンテナモジュール２０とを一体成形してケース１０を構成するステップＳ４４とを含む。
【００２０】
プリ浸しによって前記ケース１０の主体層１００の内部には適量の樹脂があり、前記ケース１０を成形した後に、前記ケース１０に結合されたアンテナモジュール２０の表面に樹脂による表層が形成され、前記表層の顔色は透明でもいいし、前記樹脂と同じでもよく、前記表層によりアンテナモジュール２０とケース１０との表面が保護され、これにより全体の安定度が高くなる。
【００２１】
また、主体層１００の表面にある樹脂により、アンテナモジュール２０が確実に粘着され、絶縁層も形成され、且つ前記主体層１００は、繊維材料で作製されたものであり、前記繊維材料は導電性を持ってもいいし、導電性を持たなくてもよく、繊維材料が導電性を持つ場合には、炭素繊維材料や金属繊維を採用し、また、繊維材料が導電性を持たない場合には、ガラス繊維や非金属繊維を採用し、主体層１００が炭素繊維材料で作製された場合には、炭素繊維が導電体であるのでノイズ遮蔽効果を有し、アンテナモジュール２０からの電磁波がディスプレーを妨害しなくなり、製品の安全性が極めて高くなり、また、主体層１００がガラス繊維材料で作製された場合には、ガラス繊維で作製された主体層１００の表面に導電材料を鍍金すると、主体層１００は導電効果を有し、ひいてはノイズ遮蔽効果を達成することができる。
【図面の簡単な説明】
【００２２】
【図１】本考案が成形されていない外観斜視図
【図２】本考案が成形された状態の断面図
【図３】本考案のモールド入れの概略図
【図４】本考案のケースとアンテナとを一体成形するフローチャート
【符号の説明】
【００２３】
１０      ケース
２０      アンテナモジュール
３０      成形用モールド
３１      キャビディ
４０      作製方法
１００    主体層
１０１    表層
Ｓ４１    原料用意
Ｓ４２    プリ浸し
Ｓ４３    モールド入れ
Ｓ４４    成形
【図１】
0003138503.tif 000003
【図２】
0003138503.tif 000004
【図３】
0003138503.tif 000005
【図４】
0003138503.tif 000006